(57)【要約】【課題】  介護用移動用椅子の脚部を脚部側面から見てコの字形の構造にすると介護で使用するのに大変便利であるが、脚部の水平部分や垂直部分に強い荷重がかかるので、脚部を頑丈にするために重い部材を使わなければならず、製作が難しく脚部が重いので介護用移動用椅子での被介護者の移動が大変であった。【解決手段】  本発明は幅広のコの字形の面体の周りを縁取るパイプ状の形状をした外枠体と、同様な形状で外枠体に挿入して接合した内枠体からなり、二本のパイプを上下に接合してある事と、垂直部では二本のパイプを離した構造にすることにより、荷重や曲げモーメントに対して非常に強くなっており、介護用移動用椅子に使用すれば、被介護者の移動が安全で容易であることを特徴とする介護用移動用椅子の脚部。【選択図】  図1
2017170086.tif 000002
【特許請求の範囲】
【請求項１】
本発明は外枠体とその内側に接合される内枠体からなる介護用移動椅子の脚部であるが、外枠体の形状は幅広のコの字形の周りを縁取るパイプ状の形状で、外枠体の前後上下の方向の呼び方は、コの字形の面体の開口側を正面とし、正面側を前方と呼び、コの字形の上の方向を上方と呼び、反対方向を下方と呼び、内枠体と脚部の前後上下の方向も同様に、同じ方向で呼ぶのであるが、外枠体の上側の前方部分を外枠上前箇所と称し、外枠上前箇所から直交して後方に伸びる部分を左右それぞれ外枠上脇箇所と称し、外枠体の下側の前方部分を外枠下前箇所と称し、外枠下前箇所から直交して後方に伸びる部分を左右それぞれ外枠下脇箇所と称し、外枠上脇箇所の後方から直交して外枠下脇箇所に下りる部分を左右それぞれ外枠垂直箇所と称し、内枠体の形状は幅広のコの字形の周りを縁取るパイプ状の形状で、内枠体の上側の前方部分を内枠上前箇所と称し、内枠上前箇所から直交して後方に伸びる部分を左右それぞれ内枠上脇箇所と称し、内枠体の下側の前方部分を内枠下前箇所と称し、内枠下前箇所から直交して後方に伸びる部分を左右それぞれ内枠下脇箇所と称し、内枠上脇箇所の後方から直交して内枠下脇箇所に下りる部分を左右それぞれ内枠垂直箇所と称し、外枠上前箇所・外枠下前箇所・内枠上前箇所・内枠下前箇所は同じ長さであり、外枠上脇箇所・内枠上脇箇所・内枠下脇箇所は同じ長さであり、外枠下脇箇所は外枠上脇箇所・内枠上脇箇所・内枠下脇箇所より長くなっており、外枠垂直箇所は外枠体の材料であるパイプ直径の２倍の長さだけ内枠垂直箇所より長くなっているのであるが、外枠体と内枠体は外枠体と内枠体の幅をそろえて外枠体の正面前方から外枠体に内枠体を挿入し接合した状態になっており、内枠体の前方下側において、内枠下前箇所と外枠下前箇所は上下に接合しており、内枠体の下側で内枠下脇箇所と外枠下脇箇所は上下に接合しており、内枠体の上側で内枠上脇所と外枠上脇箇所は上下に接合しており、内枠垂直箇所と外枠垂直箇所は内枠垂直箇所が前方に位置して離れており、内枠上前箇所と外枠上前箇所は内枠上前箇所が前方に位置して離れており、外枠下脇箇所の下側の４隅にキャスターを取り付けてあることを特徴とする介護用移動椅子の脚部。
【発明の詳細な説明】
【技術分野】
【０００１】
本発明は、介護用移動椅子の脚部に関するものである。
【背景技術】
【０００２】
介護に適した介護用移動椅子の脚部がなかったので、介護者が寝たきりや自力で起き上がることが困難な人を介護用車椅子に移すのは、従来の介護用車椅子の脚部では大変であった。
【先行技術文献】
【特許文献】
【０００３】
【特許文献１】特願２０１５−  ３９２９５号公報
【発明の概要】
【発明が解決しようとする課題】
【０００４】
介護者が寝たきりや自力で起き上がることが困難な人をベッドから介護用移動椅子に移すのは、従来の介護用移動椅子の脚部では、脚部がベッドにぶつかるので、いったん被介護者を持ち上げて介護用移動椅子に移さなければならず大変であり、女性や年配者などの体力が無い介護者では、ほぼ不可能であった。
製造コストが安くて堅牢で重量が軽く、介護者の取り扱いが安全で容易な介護用移動椅子の脚部が必要であった。
【課題を解決するための手段】
【０００５】
本発明は外枠体とその内側に接合される内枠体からなる介護用移動椅子の脚部である。
外枠体の形状は幅広のコの字形の面体の周りを縁取るパイプ状の形状である。
外枠体の前後上下の方向の呼び方は、コの字形の開口側を正面とし正面側を前方と呼び、反対側を後方と呼び、コの字形の上の方向を上方と呼び、反対方向を下方と呼ぶ。
内枠体と脚部の前後上下の方向の呼び方も同様に、同じ方向で呼ぶ。
外枠体の上側の前方部分を外枠上前箇所と称し、外枠上前箇所から直交して後方に伸びる部分を左右それぞれ外枠上脇箇所と称し、外枠体の下側の前方部分を外枠下前箇所と称し、外枠下前箇所から直交して後方に伸びる部分を左右それぞれ外枠下脇箇所と称し、外枠上脇箇所の後方から直交して外枠下脇箇所に下りる部分を左右それぞれ外枠垂直箇所と称する。
内枠体の形状は幅広のコの字形の面体の周りを縁取るパイプ状の形状である。
内枠体の上側の前方部分を内枠上前箇所と称し、内枠上前箇所から直交して後方に伸びる部分を左右それぞれ内枠上脇箇所と称し、内枠体の下側の前方部分を内枠下前箇所と称し、内枠下前箇所から直交して後方に伸びる部分を左右それぞれ内枠下脇箇所と称し、内枠上脇箇所の後方から直交して内枠下脇箇所に下りる部分を左右それぞれ内枠垂直箇所と
称する。
外枠上前箇所・外枠下前箇所・内枠上前箇所・内枠下前箇所は同じ長さである。
外枠上脇箇所・内枠上脇箇所・内枠下脇箇所は同じ長さであり、外枠下脇箇所は外枠上脇箇所・内枠上脇箇所・内枠下脇箇所より長くなっている。
外枠垂直箇所は外枠体の材料であるパイプ直径の２倍の長さだけ、内枠垂直箇所より長くなっている。
外枠体と内枠体は外枠体と内枠体の幅をそろえて、外枠体の正面前方から外枠体に内枠体を挿入して接合した状態になっている。
内枠体の前方下側において内枠下前箇所と外枠下前箇所が上下に接合しており、内枠体の下側で内枠下脇箇所と外枠下脇箇所は上下に接合しており、内枠体の上側で内枠上脇箇所と外枠上脇箇所は上下に接合しており、内枠垂直箇所と外枠垂直箇所は内枠垂直箇所が前方に位置して離れており、内枠上前箇所と外枠上前箇所は内枠上前箇所が前方に位置して離れている。  
本発明の各部分の名称は外枠上前箇所と内枠上前箇所を総称して脚部上前箇所と称し、外枠上脇箇所と内枠上脇箇所を総称して脚部上脇箇所と称し、外枠垂直箇所と内枠垂直箇所を総称して脚部垂直箇所と称し、外枠下脇箇所と内枠下脇箇所を総称して脚部下脇箇所と称し、外枠下前箇所と内枠下前箇所を総称して脚部下前箇所と称する。
外枠下脇箇所の下側の４隅にキャスターを取り付けてある。
以上を特徴とする介護用移動椅子の脚部。
【発明の効果】
【０００６】
脚部上前箇所と脚部下前箇所の構造は、二本のパイプを上下に接合した構造になっているので、それぞれ上下方向からの荷重に対してスペースが少ない場所にも関わらず、非常に堅牢な構造になっている。
脚部垂直箇所は更に内枠垂直箇所と外枠垂直箇所が前後にずらして離れているので、被介護者が乗った時に脚部垂直箇所に掛かる荷重や曲げモーメントに対して非常に強い構造になっている。
脚部上前箇所も内枠上前箇所と外枠上前箇所が前後にずらして離れているので、水平方向の荷重や曲げモーメントに対して非常に強い構造になっている。
二本のパイプを上下に接合した構造と、強い荷重がかかる部分では二本のパイプを離して荷重や曲げモーメントに対して非常に強い構造にする事により、製造コストが安くて堅牢で重量が軽く、介護者の取り扱いが安全で容易なことを特徴とする介護用移動椅子の脚部を提供する。
【発明を実施するための形態】
【０００７】
以下、本発明を図の具体例を用いて詳細に説明する。
本発明は図1に示すように、外枠体（２０）と内枠体（３０）の２つの枠体を接合したものである。
図3に示すように、外枠体（２０）の形状は幅広のコの字形の面体の周りを縁取るパイプ状の形状である。
外枠体（２０）の前後上下の方向の呼び方は、コの字形の開口側を正面とし、正面側を前方と呼び、反対側を後方と呼び、コの字形の上の方向を上方と呼び、反対方向を下方と呼ぶ。
内枠体（３０）と脚部（１０）の前後上下の方向も同様に、同じ方向で呼ぶ。
外枠体（２０）の上側の前方部分を外枠上前箇所（２１）と称し、外枠上前箇所（２１）から直交して後方へ伸びる部分を左右それぞれ外枠上脇箇所（２２）と称し、外枠体（２０）の下側の前方部分を外枠下前箇所（２５）と称し、外枠下前箇所（２５）から直交して後方へ伸びる部分を左右それぞれ外枠下脇箇所（２４）と称し、外枠上脇箇所（２２）の後方から直交して外枠下脇箇所（２４）に下りる部分を左右それぞれ外枠垂直箇所（２３）と称する。
図4に示すように、内枠体（３０）の形状は幅広のコの字形の周りを縁取るパイプ状の形状である。
内枠体（３０）の上側の前方部分を内枠上前箇所（３１）と称し、内枠上前箇所（３１）から直交して後方へ伸びる部分を左右それぞれ内枠上脇箇所（３２）と称し、内枠体（３０）の下側の前方部分を内枠下前箇所（３５）と称し、内枠下前箇所（３５）から直交して後方へ伸びる部分を左右それぞれ内枠下脇箇所（３４）と称し、内枠上脇箇所（３２）の後方から直交して内枠下脇箇所（３４）に下りる部分を左右それぞれ内枠垂直箇所（３３）と称する。
図5に示すように、外枠上前箇所（２１）・外枠下前箇所（２４）・内枠上前箇所（３１）・内枠下前箇所（３４）は同じ長さである。
外枠上脇箇所（２２）・内枠上脇箇所（３２）・内枠下脇箇所（３４）は同じ長さであり、外枠下脇箇所（２４）は外枠上脇箇所（２２）・内枠上脇箇所（３２）・内枠下脇箇所（３４）より長なっている。
外枠垂直箇所（２３）は外枠体（２０）の材料であるパイプ直径の２倍の長さだけ内枠垂直箇所（３３）より長くなっている。
外枠体（２０）と内枠体（３０）は外枠体（２０）と内枠体（３０）の幅をそろえて、外枠体（２０）の正面前方から外枠体（２０）に内枠体（３０）を挿入し接合した状態になっている。
図5に示すように、内枠体（３０）の前方下側において内枠下前箇所（３５）と外枠下前箇所（２５）が上下に接合しており、内枠体（３０）の下側で内枠下脇所（３４）と外枠下脇箇所（２４）は上下に接合しており、内枠体（３０）の上側で内枠上脇箇所（３２）外枠上脇箇所（２２）は上下に接合しており、内枠垂直箇所（３３）と外枠垂直箇所（２３）は内枠垂直箇所（３３）が前方に位置して離れており、内枠上前箇所（３１）と外枠上前箇所（２１）は内枠上前箇所（３１）が前方に位置して離れている。  
図5に示すように、本発明の各部分の名称は、外枠上前箇所（２１）と内枠上前箇所（３１）を総称して脚部上前箇所（１１）と称し、外枠上脇箇所（２２）と内枠上脇箇所（３２）  を総称して脚部上脇箇所（１２）と称し、外枠垂直箇所（２３）と内枠垂直箇所（３３）を総称して脚部垂直箇所（１３）と称し、外枠下脇箇所（２４）と内枠下脇箇所（３４）を総称して脚部下脇箇所（１４）と称し、外枠下前箇所（２５）と内枠下前箇所（３５）を総称して脚部下前箇所（１５）と称する。
外枠下脇箇所（２４）の下側の４隅にキャスター（４１）を取り付けてあることを特徴とする介護用移動椅子の脚部。
本発明は、以上のような構成になっており、以下その具体的な使用法及び実施例を説明する。
図5に示すように、脚部上脇箇所（１２）と脚部下脇箇所（１４）の構造は、二本のパイプを上下に接合した構造になっており、上下方向からの荷重に対してスペースが少ない場所にも関わらず強い構造になっている。
脚部垂直箇所（１３）は更に外枠垂直箇所（２３）と内枠垂直箇所（３３）を離すことにより荷重に非常に強い構造になっている。
脚部上前箇所（１１）も外枠上前箇所（２１）と内枠上前箇所（３１）を離すことにより
水平方向の荷重に非常に強い構造になっている。
図6に示すように、本発明に回転盤支え板（４２）と回転盤（４３）を取り付けて、更に図7に示すように、回転盤（４３）の上に被介護者を乗せる座部（４４）を取り付けた状態で、本発明は使用される。
図8は本発明に座部（４４）を取り付けた状態を示す側面図である。
図9は本発明を利用している状態を示す斜視図であり、本発明の脚部下脇箇所（１４）がベッド（４７）の下に潜りこむ状態になり、脚部上脇箇所（１２）と座部（４４）がベッド（４７）の上に乗るため、本発明を使えば介護作業がたいへん便利になっているのを示している。
本発明は二本のパイプを上下に接合した構造と二本のパイプを離した構造で、上下方向や水平方向の荷重や曲げモーメントに対して非常に強い構造になっており、製造コストが安く堅牢で重量が軽く、介護者の取り扱いが安全で容易なことを特徴とする介護用移動椅子の脚部である。
【図面の簡単な説明】
【０００８】
【図１】本発明の斜視図
【図２】本発明の側面図
【図３】本発明の部品である外枠体の斜視図
【図４】本発明の部品である内枠体の斜視図
【図５】本発明の各箇所の名前を示す斜視図
【図６】本発明に回転盤を取り付けた状態を示す斜視図
【図７】本発明に座部を取り付けた状態を示す斜視図
【図８】本発明に座部を取り付けた状態を示す側面図
【図９】本発明を利用している状態を示す斜視図
【符号の説明】
【０００９】
（１０）脚部    （１１）脚部上前箇所    （１２）脚部上脇箇所
（１３）脚部垂直箇所    （１４）脚部下脇箇所    （１５）脚部下前箇所
（２０）外枠体    （２１）外枠上前箇所    （２２）外枠上脇箇所  
（２３）外枠垂直箇所    （２４）外枠下脇箇所    （２５）外枠下前箇所
（３０）内枠体    （３１）内枠上前箇所    （３２）内枠上脇箇所  
（３３）内枠垂直箇所    （３４）内枠下脇箇所    （３５）内枠下前箇所
（４１）キャスター    （４２）回転盤支え板    （４３）回転盤
（４４）座部    （４５）背もたれ部    （４６）手押しバー    （４７）ベッド
【図１】
2017170086.tif 000003
【図２】
2017170086.tif 000004
【図３】
2017170086.tif 000005
【図４】
2017170086.tif 000006
【図５】
2017170086.tif 000007
【図６】
2017170086.tif 000008
【図７】
2017170086.tif 000009
【図８】
2017170086.tif 000010
【図９】
2017170086.tif 000011
【手続補正書】
【提出日】平成29年1月23日(2017.1.23)
【手続補正１】
【補正対象書類名】明細書
【補正対象項目名】０００３
【補正方法】削除
【補正の内容】